(57)【特許請求の範囲】
【請求項１】
隣り合う古紙管（１）（２）の端面どうしが接続された長尺古紙管（３）の切削加工された均一外径の古い紙層（３１）の上に、新しい紙テープ（４０）がスパイラル状に巻かれて新層（４１）が被覆されている再生紙管。
【請求項２】
複数本の古紙管（１）（２）を接続して再生紙管を製造する方法において、隣り合う古紙管（１）（２）の端面どうしを接続して長尺古紙管（３）を形成し、次に該長尺古紙管（３）の外周面を均一直径に切削し、接着剤を塗布した紙テープ（４０）を長尺古紙管（３）に必要な厚みだけスパイラル状に巻回して再生紙管（４）を形成する再生紙管の製法。
【発明の詳細な説明】
【０００１】
【発明の属する分野】
本発明は、紙や紙板を巻回する芯となる紙管等、工業的に使用され且つ再利用される再生紙管及びその製法に関するものである。
【０００２】
【従来の技術】
従来の斯種紙管の再生方法は、古紙管の端部等、損傷部分を切断除去し、この複数の古紙管の端面どうしを突き合わせて接合している。
古紙管の端面には、互いに嵌合する凸部と凹部を形成しておき、接合部の強度を向上させ、或いは隣り合う紙管どうしの回転滑りを防止することが実施されている。
又、隣り合う古紙管の端面に跨って、ステイプルを打ち込んで連結することも行われている。
又、隣り合う紙管の内面に跨って鉄心を介装して、座屈や捻れに対する強度を高めることも提案されている。
【０００３】
【発明が解決しようとする課題】
しかし、上記何れの場合も、古紙管の外周面について何等考慮されていない。古紙管の外面は、傷付きや、紙管に巻回していた新聞用紙等の帯状シートの端縁を止めるための接着剤跡が残って汚く目立ち、又、それらによる凹凸が紙管の再使用のために邪魔になることがあった。
特に、古紙管をステイプルで連結した場合、再生紙管の外周にステイプルが突出して段差を生じ、紙管に巻回する帯状シートに押形がついてしまう不都合がある。
【０００４】
本発明は、外観上は、新品の紙管と区別できない再生紙管及びその製法を明らかにするものである。
【０００５】
【課題を解決する手段】
本発明の再生紙管は、隣り合う古紙管（１）（２）の端面どうしが接続された長尺古紙管（３）の切削加工された均一外径の古い紙層（３１）の上に、新しい紙テープ（４０）がスパイラル状に巻かれて新層（４１）が被覆されている。
【０００６】
本発明の再生紙管の製法は、隣り合う古紙管（１）（２）の端面どうしを接続して長尺古紙管（３）を形成し、次に該長尺古紙管（３）の外周面を均一直径に切削し、接着剤を塗布した紙テープ（４０）を長尺古紙管（３）に必要な厚みだけスパイラル状に巻回して再生紙管（４）を形成する。
【０００７】
【作用及び効果】
古紙管（１）（２）を接続して長尺古紙管（３）とした後に、該長尺古紙管（３）の外周を切削するため、長尺古紙管（３）の外径は均一となり、外周面は傷付き、凹凸及び段差のない切削面となる。
上記均一外径の長尺古紙管（３）の切削面に紙テープ（４０）をスパイラル状に巻いて、長尺古紙管（３）の紙層（３１）の外側に紙テープ（４０）による新層（４１）を被覆するため、外見上は、新品の紙管と区別がつかない程度に美しく仕上げることができる。  又、新層（４１）は紙テープ（４０）をスパイラル状に巻いて形成されるため、古紙管（１）（２）の接続部に跨って紙テープ（４０）が巻回されるため、接続部の強度が高まる。
【０００８】
【発明の実施の形態】
図１は、本発明の再生紙管の繋ぎ部を示している。
再生紙管（４）は、複数の古紙管（１）（２）を１本に繋いで形成される。
隣り合う古紙管（１）（２）の突き合わせ端面に、互いに係合する凸部（１１）と凹部（２１）が形成されている。
【０００９】
実施例では、一方の古紙管（１）の端面外周を切削して内周寄りに筒状の凸部（１１）が形成され、該凸部（１１）の外周面に外ネジ（１２）が施されている。他方の古紙管（２）は端面内周を切削して前記凸部（１１）が嵌合する凹部（２１）が形成され、該凹部（２１）の内周面に内ネジ（２２）が施されている。
【００１０】
隣り合う古紙管（１）（２）は凸部（１１）と凹部（２１）を螺合して連結されて長尺古紙管（３）を形成しており、該長尺古紙管（３）は、外周面が所定量だけ削り取られて均一直径となり、その上に、裏面に接着剤を塗布した紙テープ（４０）を巻回して新層（４１）を形成している。
【００１１】
図２は、再生紙管（４）の製造手順を示している。
図２Ａに示す如く、古紙管（１）（２）の端部等、損傷部分を紙管の長手方向に対して直角に切断して切り取る。
図２Ｂに示す如く、接続すべき古紙管（１）（２）の内、一方の古紙管（１）に前記凸部（１１）、他方の古紙管（２）の端部に凹部（２１）を形成する。これは、旋盤による切削加工で簡単に形成できる。
【００１２】
図２Ｃに示す如く、両古紙管（１）（２）を、凸部（１１）と凹部（２１）を螺合して連結し長尺古紙管（３）を形成する。凸部（１１）の内ネジ（２２）、凹部（２１）の内ネジ（２２）に接着剤を塗布しておけば、長尺古紙管（３）の繋ぎ部の繋ぎ強度は一層高まる。
次に、長尺古紙管（３）を回転させ、該長尺古紙管（３）の外周を切削刃（７）によって全長に亘って所定深さだけ切削して均一直径に仕上げる。
【００１３】
図４に示す如く、２つの回転受けローラ（５）（５）上に長尺古紙管（３）を載せ、押さえローラ（６）で長尺古紙管（３）を押圧しつつ、長尺古紙管（３）と押さえローラ（６）との間に、裏面に接着剤を塗布した紙テープ（４０）を長尺古紙管（３）の軸心に対して斜めに潜り込ませて、図２Ｄに示す如く、長尺古紙管（３）の外周面に隙間なくスパイラル状に所定厚みだけ巻き付けて再生紙管（４）を形成する。
必要に応じて再生紙管（４）を所望長さに切断して使用する。
【００１４】
上記の如く、古紙管（１）（２）を互いの凸部（１１）と凹部（２１）を螺合して接続し、長尺古紙管（３）としたため、隣り合う古紙管（１）（２）どうしの連結が強固となり、長尺古紙管（３）の外周を切削する際に、隣り合う古紙管（１）（２）どうしの回転滑りも生じない。
【００１５】
外周を切削して均一直径となった長尺古紙管（３）の紙層（３１）の上に、紙テープ（４０）をスパイラル状に巻いて新層（４１）を被覆したため、外見上は、新品の紙管と区別がつかない程度に美しく仕上がる。又、新層（４１）は紙テープ（４０）をスパイラル状に巻回して形成されているから古紙管（１）（２）の接続部に跨って紙テープ（４０）が巻回されるため、接続部の強度が高まる。
【００１６】
図３は、古紙管（１）（２）の突き合わせ端面の、凸部（１１）と凹部（２１）の他の実施例を示している。
一方の古紙管（１）の端面を周方向に均等に４分割して、対向する２つの領域を切削等にて除去して、凹部（１３）（１３）を形成し、残りの２つの領域を凸部（１１）（１１）と成す。他方の古紙管（２）も同様にして、２つの凹部（２１）（２１）と２つの凸部（２３）（２３）を形成する。
２本の古紙管（１）（２）の互いの凸部（１１）と凹部（２１）を緊密に嵌合する。
【００１７】
尚、実施例では、隣り合う古紙管（１）（２）の端面に、互いに係合する凸部（１１）と凹部（２１）を形成したが、古紙管（１）（２）の端面を軸心に対して直角に切断した切り口どうしを接着剤にて接合することもでき、凸部（１１）と凹部（２１）が存在してなくても、本発明の実施は可能である。
【００１８】
又、長尺古紙管（３）は、２本以上の古紙管（１）（２）を接続して形成できるのは勿論である。
【００１９】
上記実施例の説明は本発明を説明するためのものであって、特許請求の範囲に記載の発明を限定し、或いは該範囲を減縮する様に解すべきではない。本発明の各部構成は、上記実施例に限らず、特許請求の範囲に記載の技術的範囲内で、種々の変形が可能であることは勿論である。
【図面の簡単な説明】
【図１】再生紙管の接続部の断面図である。
【図２】再生紙管の製造工程の説明図である。
【図３】古紙管の突き合わせ端面の他の実施例の斜面図である。
【図４】長尺古紙管にテープを巻回する説明図である。
【符号の説明】
（１）    古紙管
（１１）  凸部
（２）    古紙管
（２１）  凹部
（３）    長尺古紙管
（３１）  紙層
（４０）  紙テープ
（４１）  新層
【図１】
0003588081.tif 000002
【図２】
0003588081.tif 000003
【図３】
0003588081.tif 000004
【図４】
0003588081.tif 000005